(57)【要約】【課題】従前の水洗小便器の搬送取付時の不便さを除去し、非洗浄域であった縁部や受面部側部の洗浄不能領域をなくした縁洗浄型小便器における縁の水濡れが使用者の不安とならない水洗小便器の提供。【解決手段】ボール部と受面部を別体として搬送取付を容易とし、ボール部の上方にボール部上端外周と略同形で別体の縁部汚染防止具となる環状体を隙間を開けて配置し、環状体の上端面から外周面を流下する尿滴を外周面とボール部上端面との隙間を介して、無給水でボール部内に収容するか、環状体上端面に給水して洗浄水とともに収容するか、環状体を多孔質材で形成し内部給水し滲出する洗浄水とともに収容するか、選択可能とする。また受面部をボール部内に収まるものとして内外周面とも洗浄可能とする。ボール部外周を越えて突き出る使用者接近防止具を受面部上に載置する。【選択図】  図１
2011069146.tif 000002
【特許請求の範囲】
【請求項１】
壁掛式および床置式の水洗小便器において、ボール部と受面部は別体として用意され、取付け位置において固定してまたは着脱自在に組合わされることを可能としたことを特徴とする水洗小便器。
【請求項２】
上面図では外周部がボール部外周部と略同形状の環状体を別体としてボール部上端面との間に隙間を開けて配置させ、取付け位置において固定、または着脱自在に組合わされることを特徴とする請求項１記載の水洗小便器。
【請求項３】
上面図では外周部がボール部外周部と略同形状の環状体でなり、環状体はその上端面に続く外周壁面を、上端面より下方においてボール部外周壁面から内方に引込ませ、環状体とボール部上端面との間に、環状体の上端面からその外周壁面を流下する尿滴の流れを阻害しない隙間を開け、ボール部内またはボール部内方に傾斜させたボール部周壁上端面上に、流下尿滴を収容可能としたボール部周壁上端面の汚染防止具を構成し、汚染防止具はボール部と別体に用意し、取付位置において組合わされることを特徴とする請求項１記載の水洗小便器。
【請求項４】
ボール部上端面との間に隙間を開けて配置させた環状体の上端面に、洗浄水を給水する環状体内通水路と、通水路に洗浄水を一定量又は一定時間送水して給水口から給水させる送水手段とを備え、環状体はその上端面に続く外周壁面を、上端面より下方においてボール部外周壁面から内方に引込ませ、環状体とボール部上端面との間に、環状体の上端面からその外周壁面を流下する尿滴や洗浄水の流れを阻害しない隙間を開け、ボール部内またはボール部内方に傾斜させたボール部周壁上端面上に、流下尿滴や洗浄水を収容可能としたボール部周壁上端面の洗浄機能付き汚染防止具を構成し、洗浄機能付き汚染防止具はボール部と別体に用意し、取付位置において組合わされることを特徴とする請求項１記載の水洗小便器。
【請求項５】
上面図では外周部がボール部外周部と略同形状の環状体でなり、環状体は、周壁を多孔質体で中空に形成してなる通水路と、通水路に洗浄水を一定量又は一定時間給水して周壁から水を滲み出させる送水手段とを備え、環状体はその上端面に続く外周壁面を、上端面より下方においてボール部外周壁面から内方に引込ませ、環状体とボール部上端面との間に、環状体の上端面からその外周壁面を流下する尿滴や滲出洗浄水の流れを阻害しない隙間を開け、ボール部内またはボール部内方に傾斜させたボール部周壁上端面上に、流下尿滴や滲出洗浄水を収容可能としたボール部周壁上端面の洗浄機能付き汚染防止具を構成し、汚染防止具はボール部と別体に用意され、取付位置において組合わされることを特徴とする請求項１記載の水洗小便器。
【請求項６】
ボール部周壁が、その上端面に沿って給水する給水口を有するボール部通水路と、ボール部通水路に洗浄水を一定量又は一定時間送水して上端面に給水させる送水手段と、ボール部周壁上端面に続く外周壁を少なくとも通水路より下の高さ位置で内方に引込ませて斜め下方に周壁を横断しボール部内面で開口する隙間でなる収水路とを備え、給水口からボール部外周壁に流れる水膜流は上端面に続く外周壁を洗浄し収水路に収容されボール部内に導かれ、内周壁に流れる水膜流はボール部内周面を洗浄するようにするとともに、受面部はその上端部に沿って少なくとも内周面側に給水する受面部通水路を備え、送水手段から受面部通水路に送水された洗浄水は受面部内周面全面を洗浄してボール部内に収容されるようにしたことを特徴とする請求項１記載の水洗小便器。
【請求項７】
受面部の少なくとも下端部内周面が、ボール部との組合せ状態の上面図においてボール部内に位置することを特徴とする請求項１から６のいずれかに記載の水洗小便器。
【請求項８】
ボール部との組合せ状態の上面図において、受面部の下端部の外周面がボール部上端部の内周面より内側に位置することを特徴とする請求項１から６のいずれかに記載の水洗小便器。
【請求項９】
分離して用意されたボール部と受面部の組合せにおいて、互いに同種形状の組合せを含め、互いに異種形状の組合せまで、選択組合せを可能としたことを特徴とする請求項１から８のいずれかに記載の水洗小便器。
【請求項１０】
ボール部と組合せた状態の受面部が、下端部をボール部内に、上端部をボール部外に位置させる形状であることを特徴とする請求項１から９のいずれかに記載の水洗小便器。
【請求項１１】
受面部通水路が受面部の両側壁部分において受面部側壁端面および外周面側に水膜流を生じ、受面部側壁端面および側壁外周面に流れた水膜流は側壁外周面を洗浄してボール部内に収容されることを特徴とする請求項６記載の水洗小便器。
【請求項１２】
受面部給水手段が受面部の両側縁又は両側壁の部分において受面部側壁端面および外周面にも水膜流を生じ、側壁端面ならびに外周面に生じた水膜流は端面ならびに外周面を洗浄してボール部内に収容されることを特徴とする請求項５記載の水洗小便器。
【請求項１３】
ボール部および受面部から分離して用意され、取付け位置において受面部上端に接して組合わされ、受面部両側壁から使用者立ち位置方向に突き出して使用者のボール部外周面への過剰接近を防止する接近防止手段を更に備えることを特徴とする請求項１から１２のいずれかに記載の水洗小便器。
【請求項１４】
環状体は一部を切り欠いた形状を含むことを特徴とする請求項２から１３のいずれかに記載の水洗小便器。
【発明の詳細な説明】
【技術分野】
【０００１】
本発明は水洗小便器、特に、使用者の排尿を受ける受面部をボール部から立設させ、洗浄水で受面部とボール部の内面を洗浄する水洗小便器に関する。
【背景技術】
【０００２】
従来、水洗小便器はその正面部分に立設させて使用者が排出する尿を受けて下方に流す受面部と、受面部下部に連接され尿と洗浄水を集めて排水口から排出するボール部とを一体に形成して備える。水洗小便器には壁掛式のものと床置式のものがあるが、いずれの場合も受面部はある高さを必要とするため、特に床置式では小便器全体として比較的に長大なものとなる。このことは水洗小便器の搬送時や取付作業の際に利便性の妨げともなる。
【０００３】
水洗小便器の洗浄水は通常、外部水道管から弁装置を介して受面部の上部に供給され、散水路やスプレッダー等によって受面部内周面とボール部内周面に拡散され、洗浄を行う。従前は、受面部の左右側壁先端面やボール部の周壁上端面は内側に折り返して洗浄水を外に逃がさないリム部を形成していたので、内周の略全面を洗浄し得たが、逆に左右側壁先端面やボール部の周壁上端面はリム部で幅の広いものとなり、排尿時に飛散する尿滴が付着しやすく、水洗不能の汚染領域となっていた。近時、幅広のリム部は撤廃され、周壁の厚さのみによる幅の狭い端面を備える薄縁の水洗小便器が主流となり、小便器の洗浄装置としてスプレッダーが用いられているが、この方式の水洗小便器では、洗浄水の外への飛び出しを防止することが求められる様になった(特許文献1参照)。従って近時の水洗小便器では、ボール部外への洗浄水の飛び出しや落下を避けるため、端面まで洗浄水を流せず、結果として端部近傍に非洗浄域を作ることになり、飛散尿滴による汚染領域を、特に受面部側壁の内面に広げる結果となっている。
【０００４】
水洗小便器には、上記の通り、ボール部周壁の上端面の尿滴汚れを洗浄する機能がなく、排尿時に飛散して周壁上端面に付着し周壁外周壁面を流下する尿滴は床面まで汚すが、これらへの対策としては人手によるボール部上端面や床面の清掃しかなかった。この点に着目して、本発明者らは、ボール部上端面の下部に通水路を設け、上端面のほぼ全長の表面に開口する溢水口から通水路に供給した洗浄水を溢水させて水膜流としてボール部周壁の内外周面を洗浄させ、外周面を洗浄した水膜流は外周面上部から通水路の下を通ってボール部内方に斜降する隙間で構成する収水路を介してボール部内に収容されるようにした縁洗浄型の水洗便器洗浄方式と水洗便器を提案した（特許文献２参照）。なお、この型における収水路の構成は、溢水水膜流がなくとも、ボール部上端面から外周面に沿って自然流下する尿滴をボール部内方に収容するように機能するので、ボール部の上端面とそれに続く外周面については有用な構成であるが、受面部側壁内面の水洗不能領域については課題を残す。
【先行技術文献】
【特許文献】
【０００５】
【特許文献１】特開２０００−３０３５４１号公報
【特許文献２】特開２００９−７９２２号公報
【発明の概要】
【発明が解決しようとする課題】
【０００６】
特許文献１の水洗式小便器とその洗浄装置においては、スリット状射水孔をスプレッダー下方の左右方向に沿って設ける等により、給水圧の変動等で流量が変化しても洗浄水が外に飛び出すことを防止し、水洗小便器の下部に段部を設け、ボール部内面を洗浄しているが、受面部においては段部から側壁端面までの内壁面、ボール部においても周壁上端面から段部までの内壁面、更には尿滴の飛散が及ぶ各々の端面までは洗浄水が導かれず洗浄されない。水洗不能領域として残るボール部周壁と受面部両側壁の端面と、これら端面に続く内外周面とを、洗浄水が便器の外に飛んだり流れたりしないようにして洗浄可能とすることが本発明の課題の一つとなる。ここで、ボール部周壁の端面に関する上記の縁洗浄型水洗小便器の技術が利用可能であるが、その利用に当たっては次の点を考慮する必要がある。
【０００７】
特許文献２の縁洗浄型水洗小便器においては、ボール部周壁の上端面に溢水水膜流を通水路の略全長にわたって実質的に均一に発生させることにより、上端面に続くボール部周面の均一で効果的洗浄を行うが、そのためにはボール部上端面が均一な高さで水平となるように便器を取付けることが重要である。ここでは縁洗浄型水洗小便器を、床面又は壁面に対して、ボール部周壁の上端面が水平となるように取付ける際に生じる問題が本発明の他の課題の一つとなる。ただし、本発明においては、水洗小便器自体が持つ形状についての問題、つまり、ボール部から延長して立設させた受面部による重量配分の不均衡性で生じる、便器の水平設置の難しさや取付けの際の取り扱い上の不便さを考慮すると同時に、受面部の水洗不能領域をなくすための方策を考慮する。また、ボール部周壁上端面を縁洗浄型とした場合、特に上端面とそれに続く外周面が洗浄水で濡れた状態になるため、使用者に衣服が濡れる恐れを抱かせることになるが、この恐れを払拭あるいは軽減する必要がある。
【０００８】
従って、本発明はボール部から立設させた受面部を備えることによる取付け作業時の不便さを取除くと同時に、特に縁洗浄型としてボール部や受面部の上端面に水膜流を発生する構成を有するものとした場合、ボール部や受面部の上端面が水平となるように容易に取付け可能とする構成とした水洗小便器を提供することを第１の目的とする。更に、ボール部と受面部から洗浄不能領域をなくした水洗小便器を提供することを第２の目的とし、縁洗浄型とすることによって使用時に濡れているボール部上端面とその外周壁が使用者の不安とならないようにした水洗小便器の提供を第３の目的とする。
【課題を解決するための手段】
【０００９】
上記目的を達するために、請求項１による本発明の水洗小便器は、壁掛式および床置式の水洗小便器において、ボール部と受面部は別体として用意され、取付け位置において固定してまたは着脱自在に組合わされることを可能としたことを特徴とする。
請求項２による本発明の水洗小便器は、請求項１記載の水洗小便器において、 上面図では外周部がボール部外周部と略同形状の環状体を別体としてボール部上端面との間に隙間を開けて配置させ、取付け位置において固定、または着脱自在に組合わされることを特徴とする。
請求項３による本発明の水洗小便器は、請求項１記載の水洗小便器において、上面図では外周部がボール部外周部と略同形状の環状体でなり、環状体はその上端面に続く外周壁面を、上端面より下方においてボール部外周壁面から内方に引込ませ、環状体とボール部上端面との間に、環状体の上端面からその外周壁面を流下する尿滴の流れを阻害しない隙間を開け、ボール部内またはボール部内方に傾斜させたボール部周壁上端面上に、流下尿滴を収容可能としたボール部周壁上端面の汚染防止具を構成し、汚染防止具はボール部と別体に用意し、取付位置において組合わされることを特徴とする。
請求項４による本発明の水洗小便器は、請求項１記載の水洗小便器において、ボール部上端面との間に隙間を開けて配置させた環状体の上端面に、洗浄水を給水する環状体内通水路と、通水路に洗浄水を一定量又は一定時間送水して給水口から給水させる送水手段とを備え、環状体はその上端面に続く外周壁面を、上端面より下方においてボール部外周壁面から内方に引込ませ、環状体とボール部上端面との間に、環状体の上端面からその外周壁面を流下する尿滴や洗浄水の流れを阻害しない隙間を開け、ボール部内またはボール部内方に傾斜させたボール部周壁上端面上に、流下尿滴や洗浄水を収容可能としたボール部周壁上端面の洗浄機能付き汚染防止具を構成し、洗浄機能付き汚染防止具はボール部と別体に用意し、取付位置において組合わされることを特徴とする。
請求項５による本発明の水洗小便器は、請求項１記載の水洗小便器において、上面図では外周部がボール部外周部と略同形状の環状体でなり、環状体は、周壁を多孔質体で中空に形成してなる通水路と、通水路に洗浄水を一定量又は一定時間給水して周壁から水を滲み出させる送水手段とを備え、環状体はその上端面に続く外周壁面を、上端面より下方においてボール部外周壁面から内方に引込ませ、環状体とボール部上端面との間に、環状体の上端面からその外周壁面を流下する尿滴や滲出洗浄水の流れを阻害しない隙間を開け、ボール部内またはボール部内方に傾斜させたボール部周壁上端面上に、流下尿滴や滲出洗浄水を収容可能としたボール部周壁上端面の洗浄機能付き汚染防止具を構成し、汚染防止具はボール部と別体に用意され、取付位置において組合わされることを特徴とする。
請求項６による本発明の水洗小便器は、請求項１記載の水洗小便器において、ボール部周壁が、その上端面に沿って給水する給水口を有するボール部通水路と、ボール部通水路に洗浄水を一定量又は一定時間送水して上端面に給水させる送水手段と、ボール部周壁上端面に続く外周壁を少なくとも通水路より下の高さ位置で内方に引込ませて斜め下方に周壁を横断しボール部内面で開口する隙間でなる収水路とを備え、給水口からボール部外周壁に流れる水膜流は上端面に続く外周壁を洗浄し収水路に収容されボール部内に導かれ、内周壁に流れる水膜流はボール部内周面を洗浄するようにするとともに、受面部はその上端部に沿って少なくとも内周面側に給水する受面部通水路を備え、送水手段から受面部通水路に送水された洗浄水は受面部内周面全面を洗浄してボール部内に収容されるようにしたことを特徴とする。
請求項７による本発明の水洗小便器は、請求項１から６のいずれかに記載の水洗小便器において、受面部の少なくとも下端部内周面が、ボール部との組合せ状態の上面図においてボール部内に位置することを特徴とする。
請求項８による本発明の水洗小便器は、請求項１から６のいずれかに記載の水洗小便器において、ボール部との組合せ状態の上面図において、受面部の下端部の外周面がボール部上端部の内周面より内側に位置することを特徴とする。
請求項９による本発明の水洗小便器は、請求項１から８のいずれかに記載の水洗小便器において、分離して用意されたボール部と受面部の組合せにおいて、互いに同種形状の組合せを含め、互いに異種形状の組合せまで、選択組合せを可能としたことを特徴とする。
請求項１０による本発明の水洗小便器は、請求項１から９のいずれかに記載の水洗小便器において、ボール部と組合せた状態の受面部が、下端部をボール部内に、上端部をボール部外に位置させる形状であることを特徴とする。
請求項１１による本発明の水洗小便器は、請求項６記載の水洗小便器において、受面部通水路が受面部の両側壁部分において受面部側壁端面および外周面側に水膜流を生じ、受面部側壁端面および側壁外周面に流れた水膜流は側壁外周面を洗浄してボール部内に収容されることを特徴とする。
請求項１２による本発明の水洗小便器は、請求項５記載の水洗小便器において、受面部給水手段が受面部の両側縁又は両側壁の部分において受面部側壁端面および外周面にも水膜流を生じ、側壁端面ならびに外周面に生じた水膜流は端面ならびに外周面を洗浄してボール部内に収容されることを特徴とする。
請求項１３による本発明の水洗小便器は、請求項１から１２のいずれかに記載の水洗小便器において、ボール部および受面部から分離して用意され、取付け位置において受面部上端に接して組合わされ、受面部両側壁から使用者立ち位置方向に突き出して使用者のボール部外周面への過剰接近を防止する接近防止手段を更に備えることを特徴とする。
請求項１４による本発明の水洗小便器は、請求項２から１３のいずれかに記載の水洗小便器において、環状体は一部を切り欠いた形状を含むことを特徴とする。
【発明の効果】
【００１０】
本発明によれば、底部に排水口を持つボール部から立ち上げて使用者の排尿を受けるようにした受面部を備えてなる水洗小便器の受面部をボール部から分離して作成し、便器の取付け位置にそれぞれ取付けたときに互いに組合わされるようにしたので、例えばボール部は、受面部の重量と形状と関わりの無い軽量さと簡潔さをもって壁面に取付けることが出来、ボール部上端面を縁洗浄型としたときは上端面の水平取付け作業を容易とする。受面部がボール部の重量と容量から切り離されて別個に用意されることによって初めて両者は同一寸法という制約を外され、上面より見て受面部の少なくとも下端部内周面がボール部内に位置するという寸法上の選択を容易に可能とする。受面部の下端部がボール部内に在ることによって、受面部全面から流下する洗浄水をボール部内に収容可能となり、受面部内周面全域の洗浄、更には受面部の外周面の洗浄も可能となる。
【００１１】
一方、受面部をボール部から分離して作成し、便器の取付け位置にそれぞれ取付けたときに互いに組合わされるようにした水洗小便器において、上面図では外周部がボール部外周部と略同形状の環状体をボール部上端面との間に隙間を開けて配置させ、環状体の上端面に続く外周壁面を上端面より下方においてボール部外周壁面から内方に引込ませ、環状体とボール部上端面との間に、環状体の上端面からその外周壁面を流下する尿滴の流れを阻害しない隙間（以降、この隙間を収水路と表現）を作り、自力流下する尿滴を回収したり、環状体の上端面に、洗浄水を給水する環状体内通水路と、通水路に洗浄水を一定量又は一定時間送水して給水口から給水させる送水手段とを組合わせて縁洗浄型とすることによってボール部周壁上端面を洗浄して、受面部全面と合わせて水洗小便器から洗浄不能領域を無くすことが可能となる。また、受面部からボール部上空に突き出す使用者過剰接近防止具を設けたことは、縁洗浄型としたため洗浄水で濡れているボール部上端面に使用者衣服が接触することを防止することとなり、ボール部上端面とそれに続く外周面を多孔質体で形成し、内部から洗浄水を滲出させ、外周面を洗浄させて収水路で回収した後残留滲出水を吸引排することはボール部上端面の乾燥を速めて、濡れによる使用者の不安をなくす効果がある。
【図面の簡単な説明】
【００１２】
【図１】図１は本発明の実施例１における水洗小便器の通常形状のボール部と受面部の分離状態における斜視図。
【図２】図２は図１の分離状態における水洗小便器の側面図。
【図３】図３は図１の水洗小便器の組合せ状態における側面図。
【図４】図４は図３の組合せ状態における水洗小便器の上面図。
【図５】図５は本発明の実施例２における水洗小便器の、別体形式としたボール部上端汚染防止具による縁洗浄型ボール部と通常形状の受面部との組合せの分離状態における正面上方から見た斜視図。
【図６】図６は図５の水洗小便器の分離状態における側面図。
【図７】図７は図５の水洗小便器の組合せ状態における側面図。
【図８】図８は実施例２におけるボール部上端汚染防止具による縁洗浄型ボール部に用い得る溢水型構成を実施例３として示す部分拡大断面図。
【図９】図９は同じく実施例２における縁洗浄型ボール部に用い得る多孔質材利用の滲出水構成を実施例４として示す部分拡大断面図。
【図１０】図１０も実施例２に用い得る縁洗浄型ボール部の無給水形構成を実施例５として示す部分拡大断面図。
【図１１】図１１も実施例２に用い得る縁洗浄型ボール部の他の無給水形構成を実施例６として示す部分拡大断面図。
【図１２】図１２も実施例２に用い得る縁洗浄型ボール部の更に他の無給水形構成を実施例７として示す部分拡大断面図。
【図１３】図１３は本発明による実施例８における半分割式縁洗浄型ボール部と異種形状の受面部との組合せの分離状態での水洗小便器の一部を除く縦断面図。
【図１４】図１４は図１３の水洗小便器の組合せ状態における側面図。
【図１５】図１５は図１４の水洗小便器の上面図。
【図１６】図１６は実施例２に使用する分割式縁洗浄型ボール部と異種形状の受面部の組合せによる本発明の実施例９における水洗小便器とこれを取付けた台座の斜視図。
【図１７】図１７は図１６の水洗小便器のみの上面図。
【図１８】図１８は本発明による実施例１０の水洗小便器における異種形状同士のボール部と受面部でなる組合せの分離状態での斜視図。
【図１９】図１９は図１８の水洗小便器の台座への取付け状態の斜視図。
【図２０】図２０は本発明の実施例１１における水洗小便器の異種形状同士のボール部と受面部の組合せ状態の正面図。
【図２１】図２１は本発明の実施例１２における使用者過剰接近防止具を示す斜視図。
【図２２】図２２は図２１の使用者過剰接近防止具の、同種同士のボール部と受面部でなる組合せの受面部に取付けた状態における水洗小便器の上面図。
【発明を実施するための形態】
【００１３】
本発明の目的を達成するための実施例１から実施例１２を図１から図２２に示し、各実施例について説明する。
【実施例１】
【００１４】
図１から図４に本発明による実施例１の水洗小便器として、略逆円錐形のボール部１０と、このボール部１０と同じ径を有する半円筒形の受面部２０とによる組合せを示し、両者は図1と2に見られるようにボール部上端と受面部下端に沿って分離した別体として用意される。そして両者は別個にトイレットルームの設置取付け壁面に搬送され、順次壁面に取付けられ、図3と4に見られるように、取付け位置において一体に、ボール部上端縁と受面部下端縁を接合して、組合わされる。接合されるボール部上端縁と受面部下端縁とは、使用者の排尿や洗浄水が受面部内周面からボール部内に流下する際に接合面に回りこまないように構成する。
【００１５】
ここではボール部１０として、底部に外部排水管と接続される排水口１１を有し、背部に後述する設置取付け用台座へのボール部取付け具１８を植設した略逆円錐形のものを、また、受面部２０として、ボール部と同じ径の半円筒形で背部に後述の台座への受面部取付け具２８を植設したものを示したが、これらボール部と受面部は代表的な同種同形状における組合せの例である。なお、図示の排水口１１はストレート形状であるが、当然トラップ構造のものであって構わない。そして、ボール部と受面部はそれぞれ単純な形状をもって分離して作成されるから、搬送性と作業性においてきわめて有利となる。ボール部取付け具１８と受面部取付け具２８のそれぞれは、例えばボルトナットのような固定締着と着脱自在の両用に機能する部材とすれば有利であり、着脱自在とすればボール部と受面部のいずれか一方あるいは両方の取り外し交換が容易となる。このことはまた、図示の同種同形状のボール部と受面部の組合せに限らず、異種同形状の組合せや、同種異形状、あるいは異種異形状の組合せを可能とし、水洗小便器の機能性と意匠性の面において組合せに選択の自由が生じることを意味する。以下に記載する幾つかの実施例では、機能性の面から選択可能な組合せ例を示す。
【実施例２】
【００１６】
図５から図７は本発明による実施例２の水洗小便器を示し、図５と図６にその分離状態を正面斜視図と側面図で、図７にその組合せ状態を側面図でそれぞれ示す。実施例２が実施例１と異なる点は、互いに分離して用意されたボール部１０と受面部２０の間に、上面より見て、外周部がボール部外周部と略同形状でボール部上端面との間に隙間を開けて別体として配置された環状体１２が挿入されること、換言すれば、ボール部１０が、ボール部周壁１３を含む本体と、本体とは別体で用意されて設置取付けの際にボール部と受面部の間に組合される環状体１２とよりなることである。環状体１２はボール部周壁１３の上端との間に下記の構成を形成してボール部周壁１３上端面の汚染防止具として機能する。
【００１７】
環状体１２は、例えば実施例５を示す図１０の断面図に見られるように、ボール部周壁１３の上端に接近して取付けた時、環状体１２の上端面に続く外周面を、隙間を置いて下方に位置させるボール部周壁１３の外周面より内方に引込ませ、環状体１２の上端面からその外周面に沿って流下する尿滴をボール部周壁１３と環状体１２の外周面との間の隙間で形成した収水路１６によってボール部内、又は図１１の断面図に見られるように、ボール部１０の内方に傾斜するボール部周壁１３の内側上端面上に導き収容する。図１０の断面図でも示す図５から図７の実施例２では、このような構成をもってボール部周壁１３の上端面を覆う環状体１２は、その上端面に続く外周面を内方下向きに引込ませて、同様に内方に傾斜するボール部周壁１３の内側上端面に対面させ、その間の隙間でなる収水路１６によって、環状体１２の上面から流れる尿滴はボール部周壁１３の上端面からその外周面、更には設置床面までを汚染させることなく、ボール部内に収容される。
【００１８】
環状体１２が備えうる機能は上記の無給水型縁洗浄に限らず、後述のいくつかの実施例に示すように他の機能を備えるものがあり、本発明の特徴としてのボール部と受面部の分離形成と取付け時接合ないし着脱自在な取付けの利点として、所望の機能を持つ環状体の選択組合せを可能とし、また、取付け後の交換をも可能とする。
【００１９】
なお、環状体１２としてボール部と受面部と同形状の円形のものを示したが、これに限定されるものではなく、ボール部周壁外周部の形状に一致させて、半円形、半楕円形、楕円形あるいはこれらを組合せた形状のいずれの環状形であってもよい。なお、図中の符号１８ａは環状体取付具を示し、実施例１において述べた取付け用台座への取付けに用いる。
【００２０】
さらに、図７の組合せ状態において環状体１２の内方下端は、環状体１２の外周面とボール部周壁１３の上端部内周面との間に隙間を置くことによって収水路１６を形成するので、環状体全周に亘ってボール部周壁１３の内周面から離間しているが、受面部２０の側壁が環状体１２の上端面と接合する近傍においても、受面部２０の外周面に飛散尿滴の付着とその流下があり得る以上、離間構成は有効である。
尚、ここでは受面部２０と環状体１２を別体として構成したが、両者を一体として用意し、別体のボール部と組み合わせることも出来る。
【実施例３】
【００２１】
図８は、本発明による水洗小便器の実施例３として、実施例２における環状体に選択的に持たせ得る機能の一つである給水型縁洗浄構成を備えた環状体１２を、これと対向して収水路１６を形成するボール部周壁１３の上端部とともに示す。この実施例３が実施例２と異なる点は、環状体１２が上端面内に通水路１４を備え、通水路１４は上端面に開口する溢水口１５を有することである。その他の構成は実施例２においてすでに述べたものと同じであるので、ここでは反復を避けるが、この給水型縁洗浄機能を持った環状体１２を実施例２の環状体として用いれば、飛散尿滴による環状体表面の汚染は積極的に洗浄されることとなる。
【００２２】
通水路１５は、例えば図示しない洗浄水供給手段に接続され、使用者の離間検知等から一定時間あるいは一定量の洗浄水の供給を受け、供給された洗浄水は溢水口１５から環状体上端面の外周面と内周面に溢水して水膜流となる。溢水口１５から外周面側に溢水    した水膜流は外周面に沿って流下し、収水路１６に収容される。この間、環状体の上端面や外周面に付着した尿滴があれば水膜流に取り込まれ、洗浄されることとなる。内周面側への溢水による水膜流も同様に内周面に沿って流下しつつ、付着尿滴の洗浄を行って環状体１２の下端からボール部内に収容される。通水路１４は、例えば組合せ時に接合する受面部２０下端の中央付近に対応する部分で中断され、その一方の端部において洗浄水供給手段と接続される。また、溢水口１５は受面部２０下端と接合する部分において閉止するか、開口のままとして溢水が行われるようにするか、いずれとすることも可能である。また、環状体１２上端面への給水手段は図示の溢水口１５によるものに限定されず、環状体上端面に給水された洗浄水が水膜流を形成する手段であれば、他の構成であってよい。
【実施例４】
【００２３】
図９は、本発明による水洗小便器の実施例４として、実施例２における環状体が選択的に備えうる機能のうち、実施例３に示すものとは異なる型の給水型縁洗浄構成をなす環状体１２を、これと対向して収水路１６を形成するボール部周壁１３の上端部とともに部分拡大断面図で示す。この実施例４の環状体１２が実施例３と異なる点は、周壁３０の略全体を多孔質体で形成し、その内部を中空として通水路３１としていることである。多孔質体周壁３０でなる環状体１２の他の構成と収水路１６の構成は、前述の実施例２について述べた構成と実質的に同じであり、ここでの反復は避ける。
【００２４】
通水路３１は洗浄水供給手段と接続され、一定量又は一定時間の給水を受け、洗浄水を多孔質体周壁３０より透過させて環状体の上端面や内外周面に滲み出させる。環状体１２の上端面から外周面側に滲出した洗浄水は外周面を洗浄しつつ流下し、収水路１６に収容されてボール部１０内に導かれる。従って実施例３の給水型縁洗浄構成の場合と同様に、多孔質体による環状体１２はボール部周壁１３の上端面の尿滴による汚染を防止するように機能し、ボール部上端面や内外周壁ならびに便器設置床面の汚染を防止する。なお、所望により、洗浄水滲出のための給水後に一旦空にした通水路内に陰圧を掛けて外周面に残留する滲出水を吸入し排水する手段を付加することもできる。  
【実施例５】
【００２５】
図１０は、本発明による水洗小便器の実施例５であり、実施例２において環状体が選択的に備えうる機能の一例として既に述べた無給水型縁洗浄構成を持つ環状体１２を、これと対向して収水路１６を形成するボール部１３とともに部分拡大断面図で示す。この構成と機能の詳細は実施例２について既に述べたので、反復は避ける。
【実施例６】
【００２６】
図１１は、本発明による水洗小便器の実施例６として、実施例２の環状体が選択的に採り得る無給水型縁洗浄構成の変更形態における環状体１２を、これに対向して収水路１６を形成する変更形態のボール部周壁１３とともに部分拡大断面図で示す。変更形態の環状体１２は円形管でなるが、これは、円形管が、実施例５における曲面板状の環状体の上端部分と同様に、円形管の断面において最上端から最下端までの外側周面が緩やかな曲率で連続する曲面でなるため、例えば最上端に付着して外周面側に流下した尿滴はその表面張力により外周面に沿って最下端まで流れるので、本発明に用いる環状体として十分機能するためである。最上端から最下端までの内側周面についても全く同じ現象が見られ、両側周面を流下した尿滴はそれぞれ、また、時に合体して最下端からボール部内に収容される。  
【００２７】
一方円形管でなる環状体１２の下方にあって収水路１６の隙間を形成するボール部周壁１３は、やや肉厚とした上端面を略直線的に内方に下降する傾斜面とし、この傾斜面をもって環状体１２の最下端に対面する。したがって円形管の環状体１２の最下端から落下する尿滴は、ボール部周壁１３の内方傾斜面で捉えられ、確実にボール部１０内に導かれる。  
【００２８】
なお、本実施例６において環状体１２を中空円形管でなるものとし、これを無給水型縁洗浄構成としているが、これに限定することなく、中空部を通水路として利用し、溢水口あるいは同等に機能する水流出手段を設ければ、給水型縁洗浄構成とすることも可能である。また、中空円形管を多孔質材でなるものとした環状体１２を給水手段に接続すれば、実施例４と同様に機能する滲出水による給水型縁洗浄構成が得られる。
【実施例７】
【００２９】
図１２は、本発明による水洗小便器の実施例７として、実施例６における環状体１２と同じ円形管を用い、これを例えば実施例５に用いる薄厚のボール部周壁１３と組合わせてなる無給水型縁洗浄構成を示す。この構成において重要な点は、環状体１２を成す円形管の最下端が、ボール部周壁１３の内周面側に位置することであり、それによって、環状体１２の最下端から落下した尿滴が確実にボール部周壁１３内に回収されることである。因みに、実施例６について述べた給水型縁洗浄構成への適応性は、そのままこの実施例７にも適用される。なお当然であるが、円形管の最外周部を下方のボール部外周面と併せ、外径を変えることで、円形管の最下端の位置は任意に変えられる。
【実施例８】
【００３０】
図１３から図１５は、本発明による水洗小便器の実施例８を示し、水洗小便器は実施例１に比して異種のボール部１０を同形の受面部２０と、図１３のように分離して用意し、図１４のように設置取付け時に組合わせてなる。ボール部１０は、図１３において断面で示すように、便器の正面側から背面部手前に掛けて、その上端部１２ａの上端面に続く外周壁を、上端面と略平行な位置で内方向に引込ませ、斜め下方に向けボール部周壁１３を横断してボール部内面で開口する隙間を備え、この隙間を、上端面から外周面に沿って流下する尿滴や水滴を含む液体の収容とボール部内への導入のための収水路１６として作用させる。他方、上端面から内周面に沿って流下する液体は、収水路１６の内方端縁から落下してボール部内に収容される。
【００３１】
図示はしないが、実施例１および２を含めて、受面部２０の上端部の略全長に亘って内周面側に洗浄水を給水する受面部給水手段を設け、受面部２０の内周面の略全域に洗浄水を水膜流として供給し、受面部内周面を洗浄させてボール部に収容し、排水させる。受面部給水手段は、例えば実施例３として図８に示した環状体１２の縁洗浄構成における通水路１４と溢水口１５を、溢水口の向きを内周面側に変更して応用することができる。
【００３２】
本実施例８におけるボール部１０は、上記のように無給水型縁洗浄構成の上端部１２ａ
を持つものとしたが、所望によりこれを給水型縁洗浄構成の上端部を持つものとすることもできる。その場合は実施例３の図８に示す環状体１２のように、上端部１２の上端面内に通水路１４を設け、上端に溢水口１５を設けて給水手段に接続し、洗浄水を、例えば使用者の離間を検出してから一定量又は一定時間給水する。上記の受面部給水手段もこれに連動して動作する。溢水口１５から外周面側に出た溢水は外周面に沿ってこれを洗浄しつつ流下し、収水路１６を経てボール部１０内に収容される。溢水口１５から内周面側に出た溢水は内周面に沿ってこれを洗浄しつつ流下し、上端部１２ａの内方端縁からボール部１０内に落下し収容される。
【実施例９】
【００３３】
図１６および図１７は、本発明による水洗小便器の実施例９として、実施例２に示した逆円錐形のボール部１０とそのボール部周壁１３の上端を覆う形状の環状体１２、およびボール部の円形とは異なる略放物線形状の断面をもつ受面部２０の組合せでなるものを、設置取付け用の台座３４に取付けた状態で示す。これらボール部１０、環状体１２および受面部２０はもちろん互いに別体で分離して作成、用意され、設置場所に取付ける際に組合される。環状体１２は、実施例２において述べたように、実施例３から７にそれぞれ示す各種の機能ないし形態を持つものから選択される。
【００３４】
断面を略放物線形状とする受面部２０は、その両側端縁間の寸法を図１７の上面図に示すようにボール部１０の直径すなわち環状体１２の径より小さくしてあり、したがって組合せ状態において上面より見て、受面部２０はその全体をボール部１０内に位置させることとなり、下端縁のいずれの部分をもボール部ないし環状体１２の上端縁に接合させることはない。換言すれば、受面部の外周面はボール部の内周面の内側に位置するので、受面部の外周面に付着した尿滴、更には受面部外周面を流下する洗浄水すらもボール部内に収容されることとなる。このことは、受面部の内周面のみならず外周面全面、或いは少なくとも両側端縁に隣接する外周面部分に洗浄水を給水する受面部給水手段を、例えば実施例３の通水路と給水口構成により設けることを可能とし、環状体１２を縁洗浄構成とすることと相俟って、水洗小便器から非洗浄領域をなくすことを可能とする。これは、ボール部と受面部とを分離して用意することによる利点である。
【００３５】
なお、図１７の上面図に見られるように、本実施例９の受面部２０はその両側端面において外側となる角部を削除し、内側の角部が鋭角をもって使用者に向くようにしたから、尿滴の飛散密度が高い領域にある両側端面の汚染が減少する。汚染が生じたとしても、外側の角部の削除により上記の受面部給水手段による外周面への給水が両側端面へ行き渡り易くなる。なお、受面部２０のボール部１０に対する高さ位置は、台座３４に対する受面部２０の取付け位置によって決まるから、受面部下端がボール部内に入る高さとボール部から上に出る高さの間で自由に設定できる。
【実施例１０】
【００３６】
図１８および図１９は、本発明による水洗小便器の実施例１０として、上面より見た形状を略三角形としたボール部１０と、上面より見て実施例９と同じくボール部内に位置する受面部２０でなるものを、図１８の分離状態と図１９の台座３４に取付け組み合わせた状態で示す。ボール部１０はボール部周壁１３上に環状体１２を備え、環状体１２はボール部１０ないし受面部２０の背面部に対応する部分を切り欠いた形状（ここではボール部の略三角形状に合わせて略Ｖ字形状だが、ボール部形状により略Ｃ字形状、略Ｕ字形状も含まれる）を有し、実施例３から７に示す各機能ないし形状を選択して備える。環状体１２の切り欠き部分は尿滴による汚染がなく、したがって洗浄を行わない受面部２０の背面部に対応し、この部分を切り欠くことによって軽量化も図れる。
【００３７】
この実施例１０の特徴は受面部２０の形状にあり、内周面の中央上端に受面部給水手段として取付けた公知のスプレッダー３５を中心として、上端面から両側壁端面のすべてを含め、正面より見て、スプレッダー３５から撒水された水膜流の上縁の描く略放物線形状の曲線端面２５が形成される。スプレッダー３５からの水膜流は、したがって、受面部２０の内周面全域と曲線端面２５とに行き渡り、洗浄してボール部内に回収される。曲線端面２５を超えて受面部外周面に流れた水も、確実にボール部内に収容される。曲線端面２５の断面形状を例えば緩やかな楔型にしたり、スプレッダーの撒水量を制御したりすることによって、受面部側壁部分の外周面にも給水し、内周面と同時に洗浄可能となる。
【実施例１１】
【００３８】
図２０は、本発明による水洗小便器の実施例１１として、実施例２で示した環状体付のボール部１０と、下端部の径をボール部径より小とするが上端部の径はボール部径より大とした受面部２０dとでなるものを組み合わせた状態の正面図で示す。ボール部上端の汚染に対する環状体１２については実施例３から７に記載した各種機能を選択的に採用し、上下端部の径の異なる受面部２０dの内外周面に対しても実施例８から１０に記載する洗浄構成が問題なく適用し得る。これは受面部表面材の濡れ特性により洗浄水や尿滴が表面材に密着して流下する性質によるものである。
【実施例１２】
【００３９】
図２１および２２は、本発明による水洗小便器の実施例１２として、小便器への使用者の過剰接近を防止するために別体で用意される接近防止具２９を図２１の斜視図で、ボール部１０と組合わせた受面部２０の上端にこの接近防止具２９を載置した状態を図２２の上面図で、それぞれ示す。これは、例えば給水型縁洗浄構成とした実施例１０の水洗小便器において、使用者が上方より見て洗浄水で濡れているボール部１０の環状体１２が使用者の衣服、特にズボンに接触して汚すのではないか、という危惧を抱かせることへの対策である。そのため、受面部２０上端に載置した接近防止具２９はその両側端縁からボール部１０の上空に、環状体１２の外周をやや越えて突き出し、使用者がそれ以上接近することを阻止するアームを備える。この接近防止具２９はアームと逆方向に突き出して植設した防止具取付具２９ａによって、例えば図１６に示す台座３４に、ボール部１０および受面部２０とともに着脱自在に取付けられる。この実施例も、ボール部１０と受面部２０との分離作成と取付け時組合せ構成がもたらす利点である。
【符号の説明】
【００４０】
１０    ボール部
１１    排水口
１２    環状体
１３    ボール部周壁
１４    通水路
１５    溢水口
１６    収水路
１８    ボール部取付具
１８ａ  環状体取付具  
２０    受面部
２８    受面部取付具
２９    接近防止具
２９ａ  接近防止具取付具
３０    周壁
３１    通水路
【図１】
2011069146.tif 000003
【図２】
2011069146.tif 000004
【図３】
2011069146.tif 000005
【図４】
2011069146.tif 000006
【図５】
2011069146.tif 000007
【図６】
2011069146.tif 000008
【図７】
2011069146.tif 000009
【図８】
2011069146.tif 000010
【図９】
2011069146.tif 000011
【図１０】
2011069146.tif 000012
【図１１】
2011069146.tif 000013
【図１２】
2011069146.tif 000014
【図１３】
2011069146.tif 000015
【図１４】
2011069146.tif 000016
【図１５】
2011069146.tif 000017
【図１６】
2011069146.tif 000018
【図１７】
2011069146.tif 000019
【図１８】
2011069146.tif 000020
【図１９】
2011069146.tif 000021
【図２０】
2011069146.tif 000022
【図２１】
2011069146.tif 000023
【図２２】
2011069146.tif 000024